【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
注射可能な磁性ナノ粒子を有するセンチネル節を患者に見つけるためのシステムであって、該システムは、
磁気プローブであって、
外径を有するプローブ本体と、
駆動コイル直径を有する駆動コイルと、
感知コイル直径を有する感知コイルと
を備える、磁気プローブと、
該磁気プローブの該駆動コイルに電流を供給するための、該磁気プローブと電気的に連絡している電力モジュールと、
該磁気プローブの該感知コイルからの信号を受信するための、該磁気プローブと電気的に連絡している感知モジュールと、
該電力モジュールおよび該感知モジュールと電気的に連絡している処理モジュールと、
複数の注射可能な磁性ナノ粒子と
を含み、
該処理モジュールは、該電力モジュールから該磁気プローブまでの電流の供給を制御する波形を生成し、
該処理モジュールは、該注射可能な磁性ナノ粒子への接近を示す該感知モジュールからの信号を受信し、
該駆動コイル直径および該感知コイル直径は、該プローブ本体の該外径より大きくなく、そして該駆動コイルと該感知コイルとは異なる直径を有し、
該注射可能な磁性ナノ粒子は、５ｎｍと２００ｎｍとの間の平均流体力学的径の大きさを有し、そして
該注射可能なナノ粒子は、注射の部位から移動してセンチネル節により捕捉されるようなサイズにされる、
システム。
【請求項２】
前記ナノ粒子は、１０ｎｍと５０ｎｍとの間の平均流体力学的径の大きさを有する、請求項１に記載のシステム。
【請求項３】
前記プローブ本体は、１０−６／℃以下の熱膨張係数と、実質的に５０ＧＰａ以上のヤング係数とを有する材料から構成される、請求項１に記載のシステム。
【請求項４】
磁性マーカーを患者に見つけるためのシステムであって、該システムは、
磁気プローブであって、
外径を有するプローブ本体と、
駆動コイル直径を有する駆動コイルと、
感知コイル直径を有する感知コイルと
を備える、磁気プローブと、
該磁気プローブの該駆動コイルに電流を供給するための、該磁気プローブと電気的に連絡している電力モジュールと、
該磁気プローブの該感知コイルからの信号を受信するための、該磁気プローブと電気的に連絡している感知モジュールと、
該電力モジュールおよび該感知モジュールと電気的に連絡している処理モジュールと、
複数の磁性ナノ粒子と
を含み、
該処理モジュールは、該電力モジュールから該磁気プローブまでの電流の供給を制御する波形を生成し、
該処理モジュールは、該磁性ナノ粒子への接近を示す該感知モジュールからの信号を受信し、
該駆動コイル直径および該感知コイル直径は、該プローブ本体の該外径より大きくなく、そして該駆動コイルと該感知コイルとは異なる直径を有し、
該磁性ナノ粒子は、２００ｎｍより大きい平均流体力学的径の大きさを有し、そして該患者内に配置されるところに実質的に留まる、
システム。
【請求項５】
前記磁性ナノ粒子は、１０００ｎｍより大きい平均流体力学的径の大きさを有する、請求項４に記載のシステム。
【請求項６】
前記磁気プローブ本体は、１０−６／℃以下の熱膨張係数と、実質的に５０ＧＰａ以上のヤング係数とを有する材料から構成されている、請求項４に記載のシステム。
【請求項７】
磁性材料を患者に見つけるためのシステムであって、該システムは、
磁気プローブであって、
外径を有するプローブ本体と、
駆動コイル直径を有する駆動コイルと、
感知コイル直径を有する感知コイルと
を備える、磁気プローブと、
該磁気プローブの該駆動コイルに電流を供給するための、該磁気プローブと電気的に連絡している電力モジュールと、
該磁気プローブの該感知コイルからの信号を受信するための、該磁気プローブと電気的に連絡している感知モジュールと、
該電力モジュールおよび該感知モジュールと電気的に連絡している処理モジュールと
を含み、
該処理モジュールは、該電力モジュールから該プローブまでの電流の供給を制御する波形を生成し、
該処理モジュールは、導電性材料への接近を示す該感知モジュールからの信号を受信し、
該駆動コイル直径および該感知コイル直径は、該プローブ本体の該外径より大きくなく、そして該駆動コイルと該感知コイルとは異なる直径を有し、
該プローブからの該信号の位相は、該プローブへの電流の供給を制御する該波形の位相に直交している、システム。
【請求項８】
前記プローブは、１０−６／℃以下の熱膨張係数と、実質的に５０ＧＰａ以上のヤング係数とを有する材料から構成されている、請求項７に記載のシステム。
【請求項９】
磁性または導電性材料を患者に見つけるためのシステムであって、該システムは、
磁気プローブであって、
外径を有するプローブ本体と、
駆動コイル直径を有する駆動コイルと、
感知コイル直径を有する感知コイルと
を備える、磁気プローブと、
該磁気プローの該駆動コイルブに電流を供給するための、該磁気プローブと電気的に連絡している電力モジュールと、
該磁気プローブの該感知コイルからの信号を受信するための、該磁気プローブと電気的に連絡している感知モジュールと、
該電力モジュールおよび該感知モジュールと電気的に連絡している処理モジュールと
を含み、
該処理モジュールは、該電力モジュールから該プローブまでの電流の供給を制御する波形を生成し、
該処理モジュールは、該導電性または磁性材料への接近を示す該感知モジュールからの信号を受信し、
該駆動コイル直径および該感知コイル直径は、該プローブ本体の該外径より大きくなく、そして該駆動コイルと該感知コイルとは異なる直径を有し、
該プローブからの信号の大きさは、該プローブへの電流の供給を制御する該波形についての位相に対する該信号の位相に関係なく測定される、システム。
【請求項１０】
前記プローブは、１０−６／℃以下の熱膨張係数と、実質的に５０ＧＰａ以上のヤング係数とを有する材料から構成されている、請求項９に記載のシステム。
【請求項１１】
マーキングのためのシステムであって、該システムは、
複数の磁性または導電性粒子と、
該磁性または導電性粒子を、組織における関心のある領域内に配置するための手段と
を含む、システム。
【請求項１２】
磁性ナノ粒子を有するセンチネル節を患者に見つけるためのシステムであって、該システムは、
磁気プローブであって、
外径を有するプローブ本体と、
駆動コイル直径を有する駆動コイルと、
感知コイル直径を有する感知コイルと
を備える、磁気プローブと、
該磁気プローブの該駆動コイルに電流を供給するための、該磁気プローブと電気的に連絡している電力モジュールと、
該磁気プローブの該感知コイルからの信号を受信するための、該磁気プローブと電気的に連絡している感知モジュールと、
該電力モジュールおよび該感知モジュールと電気的に連絡している処理モジュールと、
複数の磁性ナノ粒子と
を含み、
該処理モジュールは、該電力モジュールから該磁気プローブまでの電流の供給を制御する波形を生成し、
該処理モジュールは、該磁性ナノ粒子への接近を示す該感知モジュールからの信号を受信し、
該感知コイルおよび該駆動コイルのうちの一方が、中心コイルを備え、そして該感知コイルおよび該駆動コイルのうちの他方が、該中心コイルと同心状に、該中心コイルのそれぞれの側にそれぞれ配置された２つのサブコイルを備え、
該中心コイルの直径は、該サブコイルの各々の直径より小さい、
システム。
【請求項１３】
前記駆動コイルの前記外径は、  前記プローブ本体の前記外径より小さく、そして前記感知コイルの前記外径は、該プローブ本体の該外径と実質的に等しい、請求項１に記載のシステム。
【請求項１４】
前記駆動コイルの前記外径は、前記プローブ本体の前記外径と実質的に等しく、そして前記感知コイルの前記外径は、該プローブ本体の該外径より小さい、請求項１に記載のシステム。
【請求項１５】
注射可能な磁性ナノ粒子を有するセンチネル節を患者に見つけるためのシステムであって、該システムは、
磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
該電力モジュールおよび該感知モジュールと電気的に連絡している処理モジュールと、
複数の注射可能な磁性ナノ粒子と
を含み、
該処理モジュールは、該電力モジュールから該磁気プローブまでの電流の供給を制御する波形を生成し、
該処理モジュールは、該注射可能な磁性ナノ粒子への接近を示す該感知モジュールからの信号を受信し、
該磁気プローブは、１０−６／℃以下の熱膨張係数と、実質的に５０ＧＰａ以上のヤング係数とを有する材料から構成され、
該注射可能な磁性ナノ粒子は、５ｎｍと２００ｎｍとの間の平均流体力学的径の大きさを有する、システム。
【請求項１６】
前記ナノ粒子は、１０ｎｍと５０ｎｍとの間の平均流体力学的径の大きさを有する、請求項１５に記載のシステム。
【請求項１７】
磁性マーカーを患者に見つけるためのシステムであって、該システムは、
磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
該電力モジュールおよび該感知モジュールと電気的に連絡している処理モジュールと、
複数の注射可能な磁性ナノ粒子と
を含み、
該処理モジュールは、該電力モジュールから該磁気プローブまでの電流の供給を制御する波形を生成し、
該処理モジュールは、該注射可能な磁性ナノ粒子への接近を示す該感知モジュールからの信号を受信し、
該磁気プローブは、１０−６／℃以下の熱膨張係数と、実質的に５０ＧＰａ以上のヤング係数とを有する材料から構成されており、
該注射可能な磁性ナノ粒子は、２００ｎｍより大きい平均流体力学的径の大きさを有する、システム。
【請求項１８】
前記ナノ粒子は、１０００ｎｍより大きい平均流体力学的径の大きさを有する、請求項１７に記載のシステム。
【請求項１９】
磁性材料を有するセンチネル節を患者に見つけるためのハンドヘルドシステムであって、該システムは、
ハウジングを含み、該ハウジングは、
該磁性材料を検出することが可能な磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
表示モジュールと、
該電力モジュール、該表示モジュールおよび該感知モジュールと電気的に連絡している処理モジュールと
を含み、
該処理モジュールは、該電力モジュールから該磁気プローブまでの電流の供給を制御する波形を生成し、
該処理モジュールは、該磁性材料への接近を示す該感知モジュールからの信号を受信し、
該磁気プローブは、１０−６／℃以下の熱膨張係数と、実質的に５０ＧＰａ以上のヤング係数とを有する材料から構成され、
該表示モジュールは、磁性材料の存在についての指示を提供する、システム。
【請求項２０】
前記磁性材料についての指示が可聴型である、請求項１９に記載のシステム。
【請求項２１】
前記磁性材料についての指示が触覚型である、請求項１９に記載のシステム。
【請求項２２】
磁性粒子は、５〜２００ｎｍの平均流体力学的径を有する磁性ナノ粒子である、請求項１９に記載のシステム。
【請求項２３】
磁性粒子は、１０〜５０ｎｍの平均流体力学的径を有する磁性ナノ粒子である、請求項２２に記載のシステム。
【請求項２４】
磁性材料を患者に見つけるためのハンドヘルドプローブであって、該ハンドヘルドプローブは、
ハウジングを含み、該ハウジングは、
該磁性材料を検出することが可能な磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
アンテナを含む送信器モジュールと、
該電力モジュール、該送信器モジュールおよび該感知モジュールと電気的に連絡している処理モジュールと
を含み、
該処理モジュールは、該電力モジュールから該磁気プローブまでの電流の供給を制御する波形を生成し、
該処理モジュールは、該磁性材料への接近を示す該感知モジュールからの信号を受信し、
該処理モジュールは、該感知モジュールからの該信号に応じて該磁性材料の存在を示す信号を伝送するように、該送信器モジュールに命令し、
該磁気プローブは、１０−６／℃以下の熱膨張係数と、実質的に５０ＧＰａ以上のヤング係数とを有する材料から構成されている、ハンドヘルドプローブ。
【請求項２５】
磁性材料を患者に見つけるためのシステムであって、該システムは、
ハウジングと、
ホストコンピュータと
を含み、
該ハウジングは、
該磁性材料を検出することが可能な磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
アンテナを含む送信器モジュールと、
該電力モジュール、該送信器モジュールおよび該感知モジュールと電気的に連絡しているプローブ処理モジュールと
を含み、
該ホストコンピュータは、該送信器モジュールから伝送された信号を受信するための受信器を有し、
該プローブ処理モジュールは、該電力モジュールから該磁気プローブまでの電流の供給を制御する波形を生成し、
該プローブ処理モジュールは、該磁性材料への接近を示す該感知モジュールからの信号を受信し、
該プローブ処理モジュールは、該感知モジュールからの該信号に応じて該磁性材料の存在を示す信号を伝送するように、該送信器モジュールに命令し、
該磁気プローブは、１０−６／℃以下の熱膨張係数と、実質的に５０ＧＰａ以上のヤング係数とを有する材料から構成され、
該ホストコンピュータは、該送信器モジュールから伝送される、該受信された信号に応じて、該磁性材料の存在の指示を生成する、システム。
【請求項２６】
複数の磁性粒子をさらに含み、各磁性粒子は、５〜２００ｎｍの平均流体力学的径を有する、請求項２５に記載のシステム。
【請求項２７】
複数の磁性粒子をさらに含み、各磁性粒子は、１０〜５０ｎｍの平均流体力学的径を有する、請求項２５に記載のシステム。
【請求項２８】
導電性材料を患者に見つけるためのシステムであって、該システムは、
プローブと、
該プローブに電流を供給するための、該プローブと電気的に連絡している電力モジュールと、
該プローブからの信号を受信するための、該プローブと電気的に連絡している感知モジュールと、
該電力モジュールおよび該感知モジュールと電気的に連絡している処理モジュールと
を含み、
該処理モジュールは、該電力モジュールから該プローブまでの電流の供給を制御する波形を生成し、
該処理モジュールは、該導電性材料への接近を示す該感知モジュールからの信号を受信し、
該プローブは、１０−６／℃以下の熱膨張係数と、実質的に５０ＧＰａ以上のヤング係数とを有する材料から構成され、
該プローブからの該信号は、該プローブへの電流の供給を制御する該波形と同位相である、システム。
【請求項２９】
磁性材料を患者に見つけるためのシステムであって、該システムは、
プローブと、
該プローブに電流を供給するための、該プローブと電気的に連絡している電力モジュールと、
該プローブからの信号を受信するための、該プローブと電気的に連絡している感知モジュールと、
該電力モジュールおよび該感知モジュールと電気的に連絡している処理モジュールと
を含み、
該処理モジュールは、該電力モジュールから該プローブまでの電流の供給を制御する波形を生成し、
該処理モジュールは、導電性材料への接近を示す該感知モジュールからの信号を受信し、
該プローブは、１０−６／℃以下の熱膨張係数と、実質的に５０ＧＰａ以上のヤング係数とを有する材料から構成され、
該プローブからの該信号の位相は、該プローブへの電流の供給を制御する該波形の位相に直交している、システム。
【請求項３０】
磁性または導電性材料を患者に見つけるためのシステムであって、該システムは、
プローブと、
該プローブに電流を供給するための、該プローブと電気的に連絡している電力モジュールと、
該プローブからの信号を受信するための、該プローブと電気的に連絡している感知モジュールと、
該電力モジュールおよび該感知モジュールと電気的に連絡している処理モジュールと
を含み、
該処理モジュールは、該電力モジュールから該プローブまでの電流の供給を制御する波形を生成し、
該処理モジュールは、該導電性または磁性材料への接近を示す該感知モジュールからの信号を受信し、
該プローブは、１０−６／℃以下の熱膨張係数と、実質的に５０ＧＰａ以上のヤング係数とを有する材料から構成され、
該プローブからの信号の大きさは、該プローブへの電流の供給を制御する該波形についての位相に対する該信号の位相に関係なく測定される、システム。
【請求項３１】
３Ｄタトゥーイングのためのシステムであって、該システムは、
複数の注射可能な磁性または導電性粒子と、
該磁性または導電性粒子を、組織における関心のある領域内に注射するための手段と
を含む、システム。
【手続補正２】
【補正対象書類名】明細書
【補正対象項目名】０００９
【補正方法】変更
【補正の内容】
【０００９】
本発明は、例えば、以下を提供する：
（項目１）
注射可能な磁性ナノ粒子を有するセンチネル節を患者に見つけるためのシステムであって、該システムは、
磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
該電力モジュールおよび該感知モジュールと電気的に連絡している処理モジュールと、
複数の注射可能な磁性ナノ粒子と
を含み、
該処理モジュールは、該電力モジュールから該磁気プローブまでの電流の供給を制御する波形を生成し、
該処理モジュールは、該注射可能な磁性ナノ粒子への接近を示す該感知モジュールからの信号を受信し、
該磁気プローブは、１０−６／℃以下の熱膨張係数と、実質的に５０ＧＰａ以上のヤング係数とを有する材料から構成され、
該注射可能な磁性ナノ粒子は、５ｎｍと２００ｎｍとの間の平均流体力学的径の大きさを有する、システム。
（項目２）
前記ナノ粒子は、１０ｎｍと５０ｎｍとの間の平均流体力学的径の大きさを有する、項目１に記載のシステム。
（項目３）
磁性マーカーを患者に見つけるためのシステムであって、該システムは、
磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
該電力モジュールおよび該感知モジュールと電気的に連絡している処理モジュールと、
複数の注射可能な磁性ナノ粒子と
を含み、
該処理モジュールは、該電力モジュールから該磁気プローブまでの電流の供給を制御する波形を生成し、
該処理モジュールは、該注射可能な磁性ナノ粒子への接近を示す該感知モジュールからの信号を受信し、
該磁気プローブは、１０−６／℃以下の熱膨張係数と、実質的に５０ＧＰａ以上のヤング係数とを有する材料から構成されており、
該注射可能な磁性ナノ粒子は、２００ｎｍより大きい平均流体力学的径の大きさを有する、システム。
（項目４）
前記ナノ粒子は、１０００ｎｍより大きい平均流体力学的径の大きさを有する、項目３に記載のシステム。
（項目５）
磁性材料を有するセンチネル節を患者に見つけるためのハンドヘルドシステムであって、該システムは、
ハウジングを含み、該ハウジングは、
該磁性材料を検出することが可能な磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
表示モジュールと、
該電力モジュール、該表示モジュールおよび該感知モジュールと電気的に連絡している処理モジュールと
を含み、
該処理モジュールは、該電力モジュールから該磁気プローブまでの電流の供給を制御する波形を生成し、
該処理モジュールは、該磁性材料への接近を示す該感知モジュールからの信号を受信し、
該磁気プローブは、１０−６／℃以下の熱膨張係数と、実質的に５０ＧＰａ以上のヤング係数とを有する材料から構成され、
該表示モジュールは、磁性材料の存在についての指示を提供する、システム。
（項目６）
前記磁性材料についての指示が可聴型である、項目５に記載のシステム。
（項目７）
前記磁性材料についての指示が触覚型である、項目５に記載のシステム。
（項目８）
磁性粒子は、５〜２００ｎｍの平均流体力学的径を有する磁性ナノ粒子である、項目５に記載のシステム。
（項目９）
磁性粒子は、１０〜５０ｎｍの平均流体力学的径を有する磁性ナノ粒子である、項目８に記載のシステム。
（項目１０）
磁性材料を患者に見つけるためのハンドヘルドプローブであって、該ハンドヘルドプローブは、
ハウジングを含み、該ハウジングは、
該磁性材料を検出することが可能な磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
アンテナを含む送信器モジュールと、
該電力モジュール、該送信器モジュールおよび該感知モジュールと電気的に連絡している処理モジュールと
を含み、
該処理モジュールは、該電力モジュールから該磁気プローブまでの電流の供給を制御する波形を生成し、
該処理モジュールは、該磁性材料への接近を示す該感知モジュールからの信号を受信し、
該処理モジュールは、該感知モジュールからの該信号に応じて該磁性材料の存在を示す信号を伝送するように、該送信器モジュールに命令し、
該磁気プローブは、１０−６／℃以下の熱膨張係数と、実質的に５０ＧＰａ以上のヤング係数とを有する材料から構成されている、ハンドヘルドプローブ。
（項目１１）
磁性材料を患者に見つけるためのシステムであって、該システムは、
ハウジングと、
ホストコンピュータと
を含み、
該ハウジングは、
該磁性材料を検出することが可能な磁気プローブと、
該磁気プローブに電流を供給するための、該磁気プローブと電気的に連絡している電力モジュールと、
該磁気プローブからの信号を受信するための、該磁気プローブと電気的に連絡している感知モジュールと、
アンテナを含む送信器モジュールと、
該電力モジュール、該送信器モジュールおよび該感知モジュールと電気的に連絡しているプローブ処理モジュールと
を含み、
該ホストコンピュータは、該送信器モジュールから伝送された信号を受信するための受信器を有し、
該プローブ処理モジュールは、該電力モジュールから該磁気プローブまでの電流の供給を制御する波形を生成し、
該プローブ処理モジュールは、該磁性材料への接近を示す該感知モジュールからの信号を受信し、
該プローブ処理モジュールは、該感知モジュールからの該信号に応じて該磁性材料の存在を示す信号を伝送するように、該送信器モジュールに命令し、
該磁気プローブは、１０−６／℃以下の熱膨張係数と、実質的に５０ＧＰａ以上のヤング係数とを有する材料から構成され、
該ホストコンピュータは、該送信器モジュールから伝送される、該受信された信号に応じて、該磁性材料の存在の指示を生成する、システム。
（項目１２）
複数の磁性粒子をさらに含み、各磁性粒子は、５〜２００ｎｍの平均流体力学的径を有する、項目１１に記載のシステム。
（項目１３）
複数の磁性粒子をさらに含み、各磁性粒子は、１０〜５０ｎｍの平均流体力学的径を有する、項目１１に記載のシステム。
（項目１４）
導電性材料を患者に見つけるためのシステムであって、該システムは、
プローブと、
該プローブに電流を供給するための、該プローブと電気的に連絡している電力モジュールと、
該プローブからの信号を受信するための、該プローブと電気的に連絡している感知モジュールと、
該電力モジュールおよび該感知モジュールと電気的に連絡している処理モジュールと
を含み、
該処理モジュールは、該電力モジュールから該プローブまでの電流の供給を制御する波形を生成し、
該処理モジュールは、該導電性材料への接近を示す該感知モジュールからの信号を受信し、
該プローブは、１０−６／℃以下の熱膨張係数と、実質的に５０ＧＰａ以上のヤング係数とを有する材料から構成され、
該プローブからの該信号は、該プローブへの電流の供給を制御する該波形と同位相である、システム。
（項目１５）
磁性材料を患者に見つけるためのシステムであって、該システムは、
プローブと、
該プローブに電流を供給するための、該プローブと電気的に連絡している電力モジュールと、
該プローブからの信号を受信するための、該プローブと電気的に連絡している感知モジュールと、
該電力モジュールおよび該感知モジュールと電気的に連絡している処理モジュールと
を含み、
該処理モジュールは、該電力モジュールから該プローブまでの電流の供給を制御する波形を生成し、
該処理モジュールは、導電性材料への接近を示す該感知モジュールからの信号を受信し、
該プローブは、１０−６／℃以下の熱膨張係数と、実質的に５０ＧＰａ以上のヤング係数とを有する材料から構成され、
該プローブからの該信号の位相は、該プローブへの電流の供給を制御する該波形の位相に直交している、システム。
（項目１６）
磁性または導電性材料を患者に見つけるためのシステムであって、該システムは、
プローブと、
該プローブに電流を供給するための、該プローブと電気的に連絡している電力モジュールと、
該プローブからの信号を受信するための、該プローブと電気的に連絡している感知モジュールと、
該電力モジュールおよび該感知モジュールと電気的に連絡している処理モジュールと
を含み、
該処理モジュールは、該電力モジュールから該プローブまでの電流の供給を制御する波形を生成し、
該処理モジュールは、該導電性または磁性材料への接近を示す該感知モジュールからの信号を受信し、
該プローブは、１０−６／℃以下の熱膨張係数と、実質的に５０ＧＰａ以上のヤング係数とを有する材料から構成され、
該プローブからの信号の大きさは、該プローブへの電流の供給を制御する該波形についての位相に対する該信号の位相に関係なく測定される、システム。
（項目１７）
３Ｄタトゥーイングのための方法であって、該方法は、
複数の注射可能な磁性または導電性粒子を提供するステップと、
該磁性または導電性粒子を、組織における関心のある領域内に注射するステップと
を含む、方法。
（本発明の要約）
本発明は、抜本的に、放射ではなく、磁気に基づく検出システムの使用を介してセンチネルリンパ節のプロトコルを変える。本システムは、磁性ナノ粒子の懸濁液の磁気性質を検出器と結合させ、検出器は、手術室の環境において使用され得る他の方法より著しく感度が高い。１つの実施形態において、ナノ粒子の懸濁液は、ＦＤＡ認可のＭＲＩコントラスト剤である。１つの実施形態において、本発明は、センチネルリンパ節を見つけることを対象とするが、本発明は、体内および他の環境の両方で他の磁性および導電性材料を検出するために使用され得る。